(57)【要約】【課題】ガラスグローブを簡易な作業で取り付けることができるとともに、ガラスグローブの落下防止の確実性を向上させた照明器具を提供する。【解決手段】照明器具１００は、天井に取り付けられてランプ１０が装着される基体１と、基体１に嵌合する小径部２ｂと、ランプ１０を収容する大径部２ｃと、小径部２ｂと大径部２ｃとを連絡するステップ部２ｄとを有し、基体１に着脱自在に装着されるガラスグローブ２と、基体１の側面に形成されている貫通穴８を介してガラスグローブ２を基体１に締結固定する締結部材１１と、基体１に取り付けられ、先端部６ａが鉤型形状となっており、締結部材１１の挿抜によって先端部６ａが移動するフック６と、を備え、締結部材１１が基体１に挿入された状態において、先端部６ａは、基体１に装着されたガラスグローブ２のステップ部２ｄの下面下側に位置するようになっていることを特徴とする。【選択図】図１
2009199966.tif 000002
【特許請求の範囲】
【請求項１】
天井に取り付けられてランプが装着される基体と、
前記基体に嵌合する小径部と、前記ランプを収容する大径部と、前記小径部と前記大径部とを連絡するステップ部とを有し、前記基体に着脱自在に装着されるガラスグローブと、
前記基体の側面に形成されている貫通穴に挿入され前記ガラスグローブを前記基体に締結固定する締結部材と、
前記基体に取り付けられ、先端部が鉤型形状となっており、前記締結部材の挿抜によって先端部が移動するフックと、を備え、
前記締結部材が前記基体に挿入された状態において、
前記フックの前記先端部は、
前記基体に装着された前記ガラスグローブの前記ステップ部の下面下側に位置するようになっている
ことを特徴とする照明器具。
【請求項２】
前記締結部材が前記基体に挿入された状態において、
前記フックの前記先端部の上面と前記ガラスグローブの前記ステップ部の下面とを近接させている
ことを特徴とする請求項１に記載の照明器具。
【請求項３】
天井に取り付けられてランプが装着される基体と、
前記基体に嵌合する小径部と、前記ランプを収容する大径部と、前記小径部と前記大径部とを連絡するステップ部とを有し、前記基体に着脱自在に装着されるガラスグローブと、
前記基体の側面に形成されている貫通穴に挿入され前記ガラスグローブを前記基体に締結固定する締結部材と、
前記基体に取り付けられ、先端部が鉤型形状となっており、前記締結部材の挿抜によって先端部が移動するフックと、を備え、
前記締結部材が前記基体に挿入された状態において、
前記フックの前記先端部は、
前記基体に装着された前記ガラスグローブの前記小径部の内壁面に接触するようになっている
ことを特徴とする照明器具。
【請求項４】
前記締結部材が前記基体に挿入されていない状態において、
前記フックの前記先端部は、
前記基体に装着された前記ガラスグローブの前記小径部の内側に位置するようになっている
ことを特徴とする請求項１〜３のいずれかに記載の照明器具。
【請求項５】
前記締結部材は、
前記フックの上端部に当接するかどうかで前記フックの前記先端部を移動させるようになっている
ことを特徴とする請求項１〜４のいずれかに記載の照明器具。
【請求項６】
前記フックの前記先端部に緩衝部材を設けた
ことを特徴とする請求項１〜５のいずれかに記載の照明器具。
【請求項７】
前記フックを板材あるいは棒状部材で構成している
ことを特徴とする請求項１〜６のいずれかに記載の照明器具。  
【請求項８】
前記フックを前記ガラスグローブの前記小径部の中心に対して対向配置させている
ことを特徴とする請求項１〜７のいずれかに記載の照明器具。
【請求項９】
前記締結部材をネジで構成している
ことを特徴とする請求項１〜８のいずれかに記載の照明器具。
【請求項１０】
前記締結部材をバネで付勢し、
前記締結部材に突起部が、前記貫通穴に前記突起部が通過可能なスリットがそれぞれ形成されており、
前記締結部材を押し込んで回転させることで前記突起部が前記基体の内壁面に係止するようになっている
ことを特徴とする請求項１〜８のいずれかに記載の照明器具。  
【発明の詳細な説明】
【技術分野】
【０００１】
本発明は、ガラスグローブが装着され、天井や軒天の下面側に取り付けられた照明器具に関するものであり、特にガラスグローブの落下を防止するようにした照明器具に関するものである。
【背景技術】
【０００２】
天井や軒天に直付けする照明器具においては、ガラスグローブが正常な状態ではなく中途半端に取り付けられていた場合、時間の経過とともに振動や衝撃が加わることで、ガラスグローブが外れてしまい、その自重で落下してしまう可能性がある。ガラスグローブが落下すると、照明器具の真下に存在するユーザに衝突したり、照明器具の下側近傍に存在するユーザに破壊したガラスグローブの破片が衝突したりする。このような危険度を低減するために、ガラスグローブの落下を防止するようにした照明器具が従来から種々提案されている。
【０００３】
そのようなものとして、「天井に対向して配設される器具本体と、この器具本体の下面側に装着されるガラスグローブとを有してなる照明器具において、前記器具本体に固着されて前記ガラスグローブの脱落時にガラスグローブを引っ掛けてガラスグローブの落下を防止する落下防止部材を、前記支持部とは別に設けた照明器具」が開示されている（たとえば、特許文献１参照）。この照明器具のように、ガラスグローブが外れた際に、このガラスグローブをフック状の固定金具等で引っ掛けることで、ガラスグローブの落下を防止するようにしたものが一般的である。
【０００４】
【特許文献１】特開平０８−１０２２０７号公報（第３−４頁、第１図）
【発明の開示】
【発明が解決しようとする課題】
【０００５】
特許文献１に記載の照明器具のように、ガラスグローブをフック状の固定金具等で引っ掛けることで、ガラスグローブの落下を防止するようなものにおいては、固定金具等が、ガラスグローブを取り付ける際に邪魔になり、ガラスグローブの中途半端な取り付けを誘因してしまう原因になる。したがって、ガラスグローブの取り付け作業に必要以上の手間を要するだけでなく、ガラスグローブの落下の可能性を高めてしまうことになっていた。また、ガラスグローブが外れて固定金具等に引っ掛かる際の反動で、ガラスグローブに衝撃が加わり、ガラスグローブが落下する前の段階で破損してしまう可能性も想定することができる。
【０００６】
本発明は、上記のような問題を解決するためになされたもので、ガラスグローブを簡易な作業で取り付けることができるとともに、ガラスグローブの落下防止の確実性を向上させた照明器具を提供することを目的としている。
【課題を解決するための手段】
【０００７】
本発明に係る照明器具は、天井に取り付けられてランプが装着される基体と、前記基体に嵌合する小径部と、前記ランプを収容する大径部と、前記小径部と前記大径部とを連絡するステップ部とを有し、前記基体に着脱自在に装着されるガラスグローブと、前記基体の側面に形成されている貫通穴に挿入して前記ガラスグローブを前記基体に締結固定する締結部材と、前記基体に取り付けられ、先端部が鉤型形状となっており、前記締結部材の挿抜によって先端部が移動するフックと、を備え、前記締結部材が前記基体に挿入された状態において、前記フックの前記先端部は、前記基体に装着された前記ガラスグローブの前記ステップ部の下面下側に位置するようになっていることを特徴とする。
【０００８】
本発明に係る照明器具は、天井に取り付けられてランプが装着される基体と、前記基体に嵌合する小径部と、前記ランプを収容する大径部と、前記小径部と前記大径部とを連絡するステップ部とを有し、前記基体に着脱自在に装着されるガラスグローブと、前記基体の側面に形成されている貫通穴に挿入して前記ガラスグローブを前記基体に締結固定する締結部材と、前記基体に取り付けられ、先端部が鉤型形状となっており、前記締結部材の挿抜によって先端部が移動するフックと、を備え、前記締結部材が前記基体に挿入された状態において、前記フックの前記先端部は、前記基体に装着された前記ガラスグローブの前記小径部の内壁面に接触するようになっていることを特徴とする。
【発明の効果】
【０００９】
本発明に係る照明器具によれば、締結部材の挿抜に応じて先端部が移動するフックを備えているので、ガラスグローブの着脱作業の容易化を実現できるとともに、ガラスグローブが落下してもフックの先端部で引っ掛けることが可能になっているので、ガラスグローブの落下防止の確実性を向上できる。
【発明を実施するための最良の形態】
【００１０】
以下、図面に基づいて本発明の実施の形態について説明する。
図１は、本発明の実施の形態に係る照明器具１００の構成例を示す概略分解図である。図１に基づいて、照明器具１００の構成について説明する。なお、図１を含め、以下の図面では各構成部材の大きさの関係が実際のものとは異なる場合がある。この実施の形態に係る照明器具１００は、光を透過させる材料で構成されたガラスグローブの内部空間にランプを収容し、ガラスグローブ及びランプを支持する基体が室内や天井や玄関先の軒天等の高所における下面側に取り付けられて使用されるものである。
【００１１】
この照明器具１００は、ガラスグローブ２の取り付け作業容易化の観点から、ガラスグローブ２を基体１にねじ込んで固定支持するねじ込み式を採用している場合を例に示している。つまり、基体１側の基体フランジ部１ｂ及びガラスグローブ２側の小径部２ｂとがリング状に構成されており、ユーザがガラスグローブ２を回転することで、ガラスグローブ２を容易に着脱できるようになっているのである。図１に示すように、照明器具１００は、基体１と、ガラスグローブ２と、ソケット３と、ソケット台４と、落下防止装置５とで構成されている。
【００１２】
基体１は、天井や軒天等の下面側に取り付ける基体底部１ａと、基体底部１ａの外周下側に下方に向かって立設されたリング状の基体フランジ部１ｂとで構成されている。基体底部１ａの側面には、ガラスグローブ２を基体１に締結固定するネジ等の締結部材１１が挿抜可能な貫通穴８が形成されている。基体フランジ部１ｂは、ガラスグローブ２の小径部２ｂが嵌め込まれて固定されるように段差が形成されている。たとえば、ガラスグローブ２を基体１にねじ込んで嵌合固定するようなものにおいては、基体フランジ部１ｂにネジ部を形成しておくとよい。
【００１３】
また、基体１の基体底部１ａには、円筒状のソケット台４が中心部に設けられている。このソケット台４の下端には、白熱電球や蛍光ランプ等のランプ１０を装着するソケット３が設けられている。さらに、基体１の基体底部１ａには、２つの落下防止装置５が設置されている。この落下防止装置５は、基体底部１ａに少なくとも１つ設置されていればよく、特に個数を限定するものではないが、図１に示すように基体底部１ａの中心に対して対向位置に２つ設置しておけば更に効果的にガラスグローブ２の落下を防止することができる。
【００１４】
ガラスグローブ２は、基体１に着脱自在に装着され、基体１に装着されたランプ１０から発せられる光を外部に透過する材料（たとえば、透明又は半透明のガラスやプラスチック等）で構成されている。このガラスグローブ２は、ランプ１０が通過するための円形状の開口部２ａ及び内部にランプ１０が収容できるような空間部を有した大径部２ｃと、大径部２ｃの上面に形成された開口部２ａの外周上側に上方に向かって立設され、基体フランジ１ｂに嵌合するリング状の小径部２ｂと、大径部２ｃと小径部２ｂとを連絡するステップ部２ｄとで構成されている。
【００１５】
そして、ガラスグローブ２の小径部２ｂが基体１の基体フランジ部１ｂに嵌め込まれることで、ガラスグローブ２が基体１に固定支持されることになる。たとえば、ガラスグローブ２を基体１にねじ込んで固定するようなものにおいては、基体フランジ部１ｂの外周面に形成したネジ部と螺合するネジ部を小径部２ｂの内周面に形成しておくとよい。なお、ガラスグローブ２の外観形状が円柱形状である場合を例に示しているが、これに限定するものではなく、たとえば角柱形状や球形状等であってもよい。ただし、小径部２ｂ及び基体フランジ部１ｂは、リング状であることが望ましい。
【００１６】
落下防止装置５は、たとえば金属の板材あるいは棒状部材の一端（下端）を折り曲げてフック形状（鉤型形状）となっており、締結部材１１の挿抜によって移動する先端部６ａを形成したフック６と、上端が基体底部１ａに固定され、下端がフック６を吊り下げ支持する吊り下げ支持部７と、基体底部１ａの貫通穴８に挿抜され、フック６の先端部６ａの反対側端部である上端と当接することでフック６を可動させて固定し、フック６の上端との当接を解除することでフック６の固定を解放する締結部材１１とで構成されている。
【００１７】
フック６は、垂直面に対して可動できるように吊り下げ支持部７に吊り下げ支持されており、締結部材１１により上端が押し込まれると先端部６ａがガラスグローブ２のステップ部２ｄの下面下側に移動し、ガラスグローブ２の落下に備えるようになっている。つまり、フック６は、先端部６ａの上面側でガラスグローブ２のステップ部２ｄの下面部分を引っ掛けることで、ガラスグローブ２の落下を防止するようになっているのである（図２で詳細に説明する）。なお、フック６は、ガラスグローブ２の重量や大きさ、材質等の構成条件によって板材で構成するか、棒状部材で構成するかを決定するとよい。
【００１８】
このフック６には、吊り下げ支持部７を貫通させるための穴部６ｂが上端側に形成されている。すなわち、穴部６ｂが支点、フック６の上端が力点、フック６の先端部６ａが作用点となるような「てこの原理」を利用して、締結部材１１の挿抜によってフック６が可動し、フック６の先端部６ａが移動するようになっているのである。この穴部６ｂは、フック６が吊り下げ支持部７に吊り下げ支持され、フック６が締結部材１１に当接していない状態において、先端部６ａが自重によって、ガラスグローブ１の小径部２ｂの内側となるような重心位置に形成されている。
【００１９】
なお、穴部６ｂは、フック６を板材で構成する場合、板材に長手方向（鉛直方向）の切り込みを入れ、この切り込みの中点を結ぶ線（水平線）に沿ってフック６を略直角に折り曲げることで形成することができる。また、穴部６ｂは、フック６を棒状部材で構成する場合、棒状部材の上端側をリング状に曲げ加工することで形成することができる。さらに、穴部６ｂは、フック６を棒状部材で構成する場合、別部材で構成し、後に溶接等でフック６に接合させて形成するようにしてもよい。
【００２０】
吊り下げ支持部７は、金属等の棒状部材で略コの字形状に構成されており、２つの上端部が基体底部１ａに固定され、下端部がフック６を可動自在に吊り下げ支持するようになっている。すなわち、吊り下げ支持部７は、フック６の穴部６ｂに下端部が貫通することで、フック６を吊り下げ支持するようになっている。したがって、落下防止装置５は、ガラスグローブ２が基体１に取り付けられた後、ガラスグローブ２が締結部材１１で固定される際に、フック６の先端部６ａが開口部２ａの中心側からステップ部２ｄの下面下側に向かって移動し、ガラスグローブ２の落下に備えることが可能になっている。
【００２１】
なお、ガラスグローブ２が落下し、フック６の先端部６ａでステップ部２ｄの下面を引っ掛ける際における反動によってガラスグローブ２に加わる衝撃を低減するために、フック６の先端部６ａの上面がステップ部２ｄの下面に近接しているほど好ましい。したがって、フック６の先端部６ａの上面とステップ部２ｄの下面との間に、ゴムや発泡剤等の緩衝部材を設けるようにすれば、フック６の先端部６ａの上面とステップ部２ｄの下面とを接触させるようにしてもよい。
【００２２】
また、ランプ１０が点灯すると、フック６によってできる影が照明器具１００の外部に投影されることになる。この影が大きいと、ユーザに与える印象が悪いものとなってしまう。フック６の影を小さくするためには、フック６を小さいものとすればよい。したがって、フック６の先端部６ａとステップ部２ｄとの引っ掛かり部分を少なくするようにフック６の先端部６ａを小径部２ｂの鉛直線上程度の長さに設定しておけば、ガラスグローブ２の落下に備えつつ、フック６によってできる影を低減することが可能になる。
【００２３】
なお、図１では、落下防止装置５を基体底部１ａの中心に対して対向位置に２つ設置した場合を例に説明したが、ガラスグローブ２の構成条件によって設置個数を決定するとよい。また、棒状部材でフック６を構成する場合、フック６の先端部６ａが引っ掛かるような凹部をステップ部２ｄの所定の位置に形成しておくとよい。このようにしておけば、落下防止装置５の設置個数を低減することができるとともに、ステップ部２ｄに形成した凹部にフック６の先端部６ａが引っ掛かることになり、ガラスグローブ２の落下防止の確実性を更に向上できる。
【００２４】
図２は、落下防止装置５を詳細に説明するための説明図である。図２に基づいて、落下防止装置５の特徴について、ガラスグローブ２の着脱動作と併せて詳細に説明する。図２（ａ）がガラスグローブ２を取り付けたままで締結部材１１を緩めた状態を、図２（ｂ）がガラスグローブ２を取り付けた後、締結部材１１を締めた状態をそれぞれ示している。図２に示すように、落下防止装置５のフック６は、締結部材１１の先端が上端部に押し当てられたり、離れたりすることで可動するようになっている。
【００２５】
ユーザは、ランプ１０を交換したり、ガラスグローブ２の内部を清掃したりする場合、締結部材１１を緩めてガラスグローブ２を取り外す。照明器具１００は、天井や軒天等の高所に取り付けられるため、安全性向上の観点から、締結部材１１を緩めたとしてもガラスグローブ２が簡単に落下しないことが望ましい。また、作業に要する手間を軽減するという観点から、ガラスグローブ２を容易に着脱できることが望ましい。そこで、照明器具１００では、ガラスグローブ２の小径部２ｂを、基体１の基体フランジ部１ｂに嵌め込むことで、ガラスグローブ２が簡単に落下しないようにしている。
【００２６】
加えて、照明器具１００では、締結部材１１を緩めると同時にフック６の先端部６ａがガラスグローブ２の開口部２ａの中心側（ガラスグローブ１の小径部２ｂの内側）に位置するように移動することで、ガラスグローブ２を鉛直方向に着脱できるようにしている。締結部材１１を緩めた場合（フック６の上端部と締結部材１１の当接が解除されている場合）には、フック６は、先端部６ａが自重によってガラスグローブ２の開口部２ａの中心側となるように吊り下げ支持部７で吊り下げ支持されるようになっている。
【００２７】
このようにしておけば、ステップ部２ｄの下面下側に、フック６の先端部６ａの上面が引っ掛かることなく、ガラスグローブ２の水平状態を維持したままで鉛直方向に移動させることができる。つまり、ガラスグローブ２の着脱作業において、フック６が邪魔になることがないのである。また、フック６が邪魔とならないので、ガラスグローブ２を基体１に確実に取り付けることができる。したがって、ユーザは、ガラスグローブ２の着脱作業を容易かつ確実に実行できることになる。
【００２８】
ガラスグローブ２が簡単に落下しないようになっているものの、時間の経過とともに落下してしまう可能性が高くなる。そのために、ガラスグローブ２を取り付けた後、基体底部１ａに締結部材１１を締結することで、ガラスグローブ２を固定するようになっている。このときも、ガラスグローブ２が確実に基体１に取り付けられているために、締結部材１１によって更に強固に固定されることになる。また、締結部材１１で固定していたとしても、時間の経過とともに振動や衝撃が加わり、ガラスグローブ２がその自重で落下してしまう可能性がある。
【００２９】
そこで、照明器具１００では、締結部材１１を締めると同時にフック６の先端部６ａがステップ部２ｄの下面下側の近接位置に移動することで、ガラスグローブ２の落下に備えている。このようにしておけば、時間の経過とともに振動や衝撃が加わり、ガラスグローブ２が落下してしまったとしても、ステップ部２ｄの下面下側にフック６の先端部６ａの上面が引っ掛かることになり、ガラスグローブ２が不意に下（地面等）まで落下してしまうことがない。したがって、ガラスグローブ２の落下防止の確実性が向上し、安全性の高い照明器具１００とすることができる。
【００３０】
以上より、照明器具１００は、締結部材１１の挿抜（締結状態）に応じて可動するフック６を有した落下防止装置５を備えているので、ガラスグローブ２を着脱する際にフック６が邪魔になることがなく、着脱作業の容易化を図るとともに、締結部材１１で固定した後もフック６の先端部６ａがステップ部２ｄの下側に位置しているので、ガラスグローブ２が不意に下まで落下してしまうということがない。また、ステップ部２ｄの下面下側とフック６の先端部６ａの上面とを近接配置できるので、ガラスグローブ２が落下し、フック６の先端部６ａでステップ部２ｄの下面下側を引っ掛ける際における反動によってガラスグローブ２に加わる衝撃を低減でき、ガラスグローブ２の破損を回避することもできる。
【００３１】
図３は、締結部材１１で固定された際におけるフック６の先端部６ａの位置を説明するための説明図である。図３に基づいて、締結部材１１で固定された際におけるフック６の先端部６ａの位置を、図２で例示したフック６の先端部６ａの位置と比較しながら説明する。図２では、フック６の先端部６ａがステップ部２ｄの下面下側に近接させた場合を例に示したが、図３では、フック６の先端部６ａがガラスグローブ２の小径部２ｂの内周面側に接触させた場合を例に示している。
【００３２】
上述したように、フック６によってできる影は、小さいほど好ましい。そこで、図３に示すように、フック６の先端部６ａをステップ部２ｄの下面下側に近接させるのではなく、ガラスグローブ２の小径部２ｂの内周面側に接触させれば、フック６の長手方向の長さを短くすることができ、フック６によってできる影を効果的に小さくすることができる。併せて、ガラスグローブ２の落下に備える必要があるので、小径部２ｂに形成されたネジ部の溝部等の凹部にフック６の先端部６ａを引っ掛けるようにする。
【００３３】
さらに、フック６の先端部６ａを小径部２ｂの内周面側に接触させるので、ガラスグローブ２と基体１との嵌り込み程度によっては、締結部材１１の締まり方が異なることになる。すなわち、締結部材１１の締まり方を確認するだけで、ガラスグローブ２と基体１との嵌り込み程度を容易に把握できるのである。したがって、ガラスグローブ２が確実に基体１に取り付けられることになり、ガラスグローブ２の落下の可能性を更に低減することができる。
【００３４】
図４は、締結部材の別の一例を説明するための説明図である。図４に基づいて、締結部材の別の一例である締結部材１１ａを詳細に説明する。図４（ａ）が締結部材１１ａを拡大して側面側から見た状態を、図４（ｂ）が締結部材１１ａを挿入した際の挿入側から見た状態を、図４（ｃ）が締結部材１１ａを回転させた際の挿入側から見た状態をそれぞれ示している。図１〜図３では、ネジである締結部材１１でガラスグローブ２及びフック６を固定する場合を例に示したが、図４では、ネジではない締結部材１１ａでガラスグローブ２及びフック６を固定する場合を例に示している。
【００３５】
締結部材１１ａは、本体１１ｂと頭部１１ｃとで構成されている。この本体１１ｂには、ネジ部が形成されておらず、少なくとも１つの突起部１２が形成されている。また、本体１１ｂが貫通する基体底部１ａに形成した貫通穴８には、締結部材１１ａの突起部１２の平面形状より大きいスリット８ａが貫通穴８と連通するように形成されている。さらに、締結部材１１ａの頭部１１ｃと突起部１２との間には、締結部材１１ａの本体１１ｂを中心軸としたバネ１３が設けられている。このバネ１３は、締結部材１１ａを外側に付勢するようになっている。
【００３６】
ユーザは、ガラスグローブ２及びフック６を固定する際に、突起部１２がスリット８ａを通過するように締結部材１１ａを押し込み、突起部１２が基体１内部に至ったところで締結部材１１ａをたとえば９０°程度回転させるだけでよい。そうすれば、突起部１２が基体底部１ａの壁面に係止され、ガラスグローブ２及びフック６が固定されることになる。つまり、突起部１２、スリット８ａ及び基体底部１ａの内壁面でロック機構を構成しているのである。したがって、締結部材１１でガラスグローブ２及びフック６を固定する場合に比べて、締結部材１１を何度も回転させる手間が省略でき、更に容易にガラスグローブ２及びフック６を固定することができる。また、締結部材１１ａでガラスグローブ２及びフック６を固定する場合には、過剰な締め付けを防止することもできる。
【００３７】
以上より、照明器具１００は、締結部材１１ａの挿抜（締結状態）に応じて可動するフック６を有した落下防止装置５を備えているので、着脱作業の容易化を図るとともに、締結部材１１ａで固定した後もフック６の先端部６ａがステップ部２ｄの下面下側に位置しているか、あるいは小径部２ｂの内周面に接触しているので、ガラスグローブ２が不意に下まで落下してしまうということがない。また、ステップ部２ｄの下面とフック６の先端部６ａとを近接配置できるので、ガラスグローブ２が落下し、フック６の先端部６ａでステップ部２ｄの下面を引っ掛ける際における反動によってガラスグローブ２に加わる衝撃を低減でき、ガラスグローブ２の破損を回避することもできる。さらに、ガラスグローブ２を更に容易に取り付けることができる。
【図面の簡単な説明】
【００３８】
【図１】実施の形態に係る照明器具の構成例を示す概略分解図である。
【図２】落下防止装置を詳細に説明するための説明図である。
【図３】締結部材で固定された際におけるフックの先端部の位置を説明するための説明図である。
【図４】締結部材の別の一例を説明するための説明図である。
【符号の説明】
【００３９】
１  基体、１ａ  基体底部、１ｂ  基体フランジ部、２  ガラスグローブ、２ａ  開口部、２ｂ  小径部、２ｃ  大径部、２ｄ  ステップ部、３  ソケット、４  ソケット台、５  落下防止装置、６  フック、６ａ  先端部、６ｂ  穴部、７  吊り下げ支持部、８  貫通穴、８ａ  スリット、１０  ランプ、１１  締結部材、１１ａ  締結部材、１１ｂ  本体、１１ｃ  頭部、１２  突起部、１３  バネ、１００  照明器具。
【図１】
2009199966.tif 000003
【図２】
2009199966.tif 000004
【図３】
2009199966.tif 000005
【図４】
2009199966.tif 000006